(57)【要約】【課題】媒体コストを抑制しつつ、作業の正確さを高めることができるカード用シートを提供する。【解決手段】カード用シート１０は、ＩＣカード学生証２０の台紙となるＩＣカード学生証台紙であって、印字適性を有する印字用紙１１と、このカード用シート１０の土台となる台紙１７と、印字用紙１１及び台紙１７の略全面を、再剥離再貼付可能に貼り合わせる強粘再剥離粘着剤１８と、天側から略３分の２の位置で２つ折りするためのミシン目ｍｃなどとを備え、印字用紙１１は、学生情報を印字するための学生情報印字欄１２と、ＩＣカード学生証２０を貼付する位置を示すカード貼付位置１３と、ＩＣカード学生証２０用のＰＩＮ番号を印字するためのＰＩＮ番号印字欄１４と、強粘再剥離粘着剤１８を表出させるためのめくり部１５と、印字用紙１１の裏面に形成された剥離層１６とを備える。【選択図】図１
2006218792.tif 000002
【特許請求の範囲】
【請求項１】
カードの台紙となるカード用シートであって、
第１及び第２の基材と、
前記第１及び第２の基材の少なくとも一部を貼り合わせる再剥離再貼付粘着剤層と、
前記第１及び第２の基材の少なくとも一方に設けられた前記カード用の秘匿情報欄とを備え、
前記再剥離再貼付粘着剤層の一部又は全部を表出させ、その表出した再剥離再貼付粘着剤層に前記カードを重ねて前記カードを固定すること、
前記カード、及び／又は、前記第１及び第２の基材の少なくとも一部を前記秘匿情報欄に重ねて、その秘匿情報欄を隠蔽すること、
を特徴とするカード用シート。
【請求項２】
請求項１に記載のカード用シートにおいて、
前記第１及び／又は第２の基材は、前記再剥離再貼付粘着剤層を表出させるためのめくり部を備え、
前記めくり部は、めくり上げたときに、前記秘匿情報欄に重なる位置に配置されていること、
を特徴とするカード用シート。
【請求項３】
請求項１又は請求項２に記載のカード用シートにおいて、
前記再剥離再貼付粘着剤層は、前記カードを固定するとともに、このカード用シートを封止すること、
を特徴とするカード用シート。
【請求項４】
請求項１から請求項３までのいずれか１項に記載のカード用シートにおいて、
前記第１及び第２の基材が貼り合わされた状態で、略全面にわたって略均一な厚みであること、
を特徴とするカード用シート。
【請求項５】
請求項１から請求項３までのいずれか１項に記載のカード用シートにおいて、
前記第１及び第２の基材が貼り合わされた状態で、このカード用シートを略全面にわたって略均一な厚みにするための厚み調整シートを備えること、
を特徴とするカード用シート。
【発明の詳細な説明】
【技術分野】
【０００１】
本発明は、ＩＣカードなどの台紙となるカード用シートに関するものである。
【背景技術】
【０００２】
従来、カード、特に、ＩＣカードのような高機能カードは、ＰＩＮ番号（Ｐｅｒｓｏｎａｌ  Ｉｎｄｅｎｔｉｆｉｃａｔｉｏｎ  Ｎｕｍｂｅｒ）と呼ばれるパスワードが必要になるものが少なくない。ＰＩＮ番号は、カードを有効にするときに必要なパスワードであり、当然、他者に見られると困るものである。
【０００３】
このＰＩＮ番号の伝達方法は、様々なやり方が想定され（例えば、特許文献１）、実行されているが、やはり確実な方法としては、カード台紙に宛名（カード名義人）とＰＩＮ番号とを同時に印字しておき、この台紙とカードとをマッチングさせて渡す方法であろう。
【０００４】
このとき、カード発行元の専用設備でマッチングさせたものを郵送する方法が一般的であるが、例えば、大学の学生証のようなものは、クレジットカード会社のように数が多くなく、また、発行も原則として入学の一定時期に集中し、手渡しでよいため、設備を導入するには二の足を踏んでいる。
【０００５】
以上の状況より、（１）台紙とカードとのマッチングは、目視確認でもよい、（２）台紙に印字したＰＩＮ番号は隠蔽したい、というニーズがある。
これを最もシンプルな方法で実現すると、例えば、ＤＰ袋のようなポケット部を台紙内の一部に用意しておき、ＰＩＮ番号部分には目隠し用シールを貼る、といった作業が必要になる。
この場合、ポケット部を通常の紙にすると、不透明であるが故に、カードと台紙とが合致しているか否かの確認が煩雑になる。たとえ、ポケット部に投入する段階で正しいことを確認したとしても、投入した後の確認は、大変である。
【０００６】
そこで、ポケット部を透明フィルムや透明紙にすれば、確認は容易となる。
しかし、透明フィルムを使用して、かつ、レーザープリンタ（通常は熱でトナーを定着させる）で印字する場合には、耐熱性の点からＰＥＴ（ポリエチレンテレフタレート）やＰＥＮ（ポリエチレンナフタレート）といった高価な樹脂のうち、さらに高価な厚手のものを使用しなければならず、コストアップは避けられない。
また、この場合は、輸送中に脱落する危険があるため、封入後にテープ止めを必要とする。
【０００７】
ＰＩＮ番号の上に隠蔽ラベルを貼る場合には、さらに作業が煩雑になる。いくらクレジットカードと比較して少ない数とは言え、合格者が決定し、入学手続きが完了した後でカードを発行しようとすると、作業に割ける時間は決して多くないため、やはり手作業であっても工数が少ないものが望まれる。人海戦術でやれば、コストアップになるだけでなく、煩雑さ故の間違いが発生してしまう。
【特許文献１】特開２００２−０３６７６６号公報
【発明の開示】
【発明が解決しようとする課題】
【０００８】
本発明の課題は、媒体コストを抑制しつつ、作業の正確さを高めることができるカード用シートを提供することである。
【課題を解決するための手段】
【０００９】
本発明は、以下のような解決手段により、前記課題を解決する。なお、理解を容易にするために、本発明の実施例に対応する符号を付して説明するが、これに限定されるものではない。
請求項１の発明は、カード（２０）の台紙となるカード用シートであって、第１及び第２の基材（１１、１７）と、前記第１及び第２の基材（１１、１７）の少なくとも一部を貼り合わせる再剥離再貼付粘着剤層（１８）と、前記第１及び第２の基材（１１、１７）の少なくとも一方に設けられた前記カード（２０）用の秘匿情報欄（１４）とを備え、前記再剥離再貼付粘着剤層（１８）の一部又は全部を表出させ、その表出した再剥離再貼付粘着剤層（１８）に前記カード（２０）を重ねて前記カード（２０）を固定すること、前記カード（２０）、及び／又は、前記第１及び第２の基材（１１、１７）の少なくとも一部を前記秘匿情報欄（１４）に重ねて、その秘匿情報欄（１４）を隠蔽すること、を特徴とするカード用シートである。
請求項２の発明は、請求項１に記載のカード用シートにおいて、前記第１及び／又は第２の基材（１１、１７）は、前記再剥離再貼付粘着剤層（１８）を表出させるためのめくり部（１５）を備え、前記めくり部（１５）は、めくり上げたときに、前記秘匿情報欄（１４）に重なる位置に配置されていること、を特徴とするカード用シートである。
請求項３の発明は、請求項１又は請求項２に記載のカード用シートにおいて、前記再剥離再貼付粘着剤層（１８Ａ）は、前記カード（２０）を固定するとともに、このカード用シート（１０Ａ、１０Ｂ）を封止すること、を特徴とするカード用シートである。
請求項４の発明は、請求項１から請求項３までのいずれか１項に記載のカード用シートにおいて、前記第１及び第２の基材（１１、１７）が貼り合わされた状態で、略全面にわたって略均一な厚みであること、を特徴とするカード用シートである。
請求項５の発明は、請求項１から請求項３までのいずれか１項に記載のカード用シートにおいて、前記第１及び第２の基材（１１Ａ、１７）が貼り合わされた状態で、このカード用シート（１０Ａ、１０Ｂ）を略全面にわたって略均一な厚みにするための厚み調整シート（１９）を備えること、を特徴とするカード用シートである。
【発明の効果】
【００１０】
本発明によれば、第１及び第２の基材を貼り合わせている再剥離再貼付粘着剤層を利用してカードを固定し、カードや各基材を利用して秘匿情報欄を隠蔽するので、ポケット部などの収納手段や、テープなどの固定手段、隠蔽ラベルなどの隠蔽手段を別途用意する必要はなく、媒体コストを抑制することができ、また、複雑な作業がなくなるため、作業の正確さを高めることができる。
【発明を実施するための最良の形態】
【００１１】
本発明は、媒体コストを抑制しつつ、作業の正確さを高めることができるカード用シートを提供するという目的を、強粘再剥離粘着剤によって印字用紙と台紙とを貼り合わせ、印字用紙に強粘再剥離粘着剤の一部を表出させるためのめくり部を形成することにより実現する。
【実施例１】
【００１２】
以下、図面等を参照して、本発明の実施例について、さらに詳しく説明する。
図１は、本発明によるカード用シートの実施例１を示す図である。
実施例１のカード用シート１０は、ＩＣカード学生証（カード）２０の台紙となるＩＣカード学生証台紙であって、印字用紙（第１の基材）１１と、台紙（第２の基材）１７と、強粘再剥離粘着剤（再剥離再貼付粘着剤層）１８と、ミシン目ｍｃなどとを備える。
また、このカード用シート１０は、印字用紙１１及び台紙１７が貼り合わされた状態で、略全面にわたって略均一な厚みである。
【００１３】
印字用紙１１は、印字適性を有する用紙であり、氏名、学生番号、性別などの学生情報を印字するための学生情報印字欄１２と、ＩＣカード学生証２０を貼付する位置を示すカード貼付位置１３と、カード貼付位置１３内に設けられ、ＩＣカード学生証２０用のＰＩＮ番号を印字するためのＰＩＮ番号印字欄（秘匿情報欄）１４とを備える。
【００１４】
また、ＰＩＮ番号印字欄１４の近傍（図では、下側）には、強粘再剥離粘着剤１８を表出させるためのめくり部１５が形成されている。
めくり部１５は、ハーフカット加工によって形成され、そのハーフカットｈｃは、完全なループ状ではなく、一部に非切断部があり、その非切断部は、ＰＩＮ番号印字欄１４側に配置されている。したがって、めくり部１５は、めくり上げたときに、印字用紙１１から分離せず、折り返されて、ＰＩＮ番号印字欄１４に重なるようになっている。
【００１５】
さらに、印字用紙１１の裏面には、剥離処理が施されており（本実施例では、剥離層１６を形成してある）、このカード用シート１０から印字用紙１１を剥離する場合には、剥離層１６と強粘再剥離粘着剤１８との間が剥離界面となる。
【００１６】
台紙１７は、このカード用シート１０の土台となる用紙であり、その裏面には、「学生証の取り出し方」や「学生証の取り扱い方法」などの情報欄が設けられている。
【００１７】
強粘再剥離粘着剤１８は、印字用紙１１及び台紙１７の略全面を、再剥離再貼付可能に貼り合わせる粘着剤であり、本実施例では、めくり部１５から表出する面積を考慮して、通常の再剥離再貼付粘着剤よりも粘着力の強いものを使用している。
【００１８】
ミシン目ｍｃは、このカード用シート１０を、天側から略３分の２の位置で２つ折りするためのカット線である。
【００１９】
次に、実施例１によるカード用シート１０の使用方法について説明する。
まず、図１（Ｃ）に示すように、プレ印刷と、ハーフカット加工と、ミシン目加工とを施したカード用シート１０を用意する。
ついで、図１（Ｄ）に示すように、ＯＡ用カラープリンタなどで、学生情報印字欄１２及びＰＩＮ番号印字欄１４に、必要事項を印字する。
さらに、図１（Ｅ）に示すように、めくり部１５をめくり上げ、ＰＩＮ番号印字欄１４にめくり上げた部分を重ね、ＰＩＮ番号を隠蔽しながら、強粘再剥離粘着剤１８の一部を表出させる。
【００２０】
そして、図１（Ｆ）に示すように、カード用シート１０とＩＣカード学生証２０とを目視でマッチングしながら、表出させた強粘再剥離粘着剤１８にＩＣカード学生証２０を貼り付け、ＩＣカード学生証２０を固定（一時的に保持）する。
最後に、図１（Ｇ）に示すように、必要に応じてミシン目ｍｃで、カード用シート１０を２つ折りする。２つ折りすることで、ＩＣカード学生証２０の不用意な脱落が防止でき、しかも、ＰＩＮ番号の隠蔽性を向上させることができる。
【００２１】
このように、実施例１によれば、以下のような効果がある。
（１）強粘再剥離粘着剤１８を利用してＩＣカード学生証２０を固定し、印字用紙１１のめくり部１５やＩＣカード学生証２０を利用してＰＩＮ番号を隠蔽するので、従来のポケット部や、粘着テープ、隠蔽ラベルなどを別途用意する必要はなく、媒体コストを抑制することができる。
（２）ＩＣカード学生証２０の固定作業や、ＰＩＮ番号の隠蔽作業が簡単に行えるので、複雑な作業がなくなり、作業の正確さを高めることができる。
【００２２】
（３）重要なＰＩＮ番号は、めくり部１５での隠蔽に加え、ＩＣカード学生証２０自体でも隠蔽する構成であり、高いセキュリティ性を有し、かつ、作業性にも優れる。
（４）カード用シート１０は、厚みが均一なため、プリンタ給紙が安定し、給紙カセットによる大量処理が可能となるので、短期間に大量処理する場合に好適な形態である。
【実施例２】
【００２３】
図２は、本発明によるカード用シートの実施例２を示す図である。
なお、前述した実施例１と同様な機能を果たす部分には、同一の符号又は末尾に統一した符号を付して、重複する説明や図面を適宜省略する。
実施例２のカード用シート１０Ａは、実施例１のように、めくり部１５をめくり上げて強粘再剥離粘着剤１８を表出させるものではなく、保護シート（第１の基材）１１Ａを剥離して、再剥離再貼付粘着剤（再剥離再貼付粘着剤層）１８Ａを表出させるものである。
また、学生情報印字欄１２及びＰＩＮ番号印字欄１４は、台紙１７に設けられ、ＰＩＮ番号印字欄１４は、２つ折りした台紙１７の一部で隠蔽する。
【００２４】
このように、実施例２によれば、実施例１の印字用紙１１がなくなり、再剥離再貼付粘着剤１８Ａも一部に限定することができるので、媒体コストをより低下させることができる。
また、図２（Ｄ）（Ｅ）に示すように、保護シート１１Ａにも個別情報を印字することによって、出力控や受領書として利用することができ、資材に無駄がない。
さらに、図２（Ｆ）（Ｇ）に示すように、再剥離再貼付粘着剤１８Ａは、ＩＣカード学生証２０を固定するとともに、このカード用シート１０Ａを封止するので、ＩＣカード学生証２０を丸ごと隠蔽する構成となり、ＩＣカード学生証２０の汚損防止や、ＰＩＮ番号の隠蔽性の向上が図れる。
【実施例３】
【００２５】
図３は、本発明によるカード用シートの実施例３を示す図である。
実施例３のカード用シート１０Ｂは、実施例２の考え方を踏襲しつつ、『厚みが不均一』という課題を解消すべく検討した形態であり、保護シート１１Ａのない部分に、接着剤１８Ｂによって、厚み調整シート１９を貼り合わせている。
【００２６】
このように、実施例３によれば、厚み調整シート１９を備えることによって、カード用シート１０Ｂが略全面にわたって均一な厚みになるので、印字適性が優れ、給紙カセットでの大量印字が可能となり、短期間に大量処理する用途に最適である。
【００２７】
（変形例）
以上説明した実施例に限定されることなく、種々の変形や変更が可能であって、それらも本発明の均等の範囲内である。
（１）めくり部１５のハーフカットｈｃの形状は、任意であり、例えば、丸形や星形、矩形で剥がし取る方法でも対応可能である。この場合は、めくり部１５が完全に剥離してしまうので、ＰＩＮ番号は、ＩＣカード学生証２０で直接隠蔽するようにする。
（２）実施例３では、接着剤１８Ｂによって、厚み調整シート１９を強接着する例で説明したが、再剥離再貼付粘着剤で粘着させておき、厚み調整シート１９を剥離できるようにしてもよい。このようにすれば、その内面を情報領域として活用できる。
【００２８】
（３）印字用紙１１や保護シート１１Ａの裏面に剥離性があれば、剥離層１６は不要である。
（４）台紙は、紙に限定されず、合成紙やフィルムなどであってもよい。
【図面の簡単な説明】
【００２９】
【図１】本発明によるカード用シートの実施例１を示す図である。
【図２】本発明によるカード用シートの実施例２を示す図である。
【図３】本発明によるカード用シートの実施例３を示す図である。
【符号の説明】
【００３０】
１０、１０Ａ、１０Ｂ  カード用シート
１１  印字用紙（第１の基材）
１１Ａ  保護シート（第１の基材）
１２  学生情報印字欄
１３  カード貼付位置
１４  ＰＩＮ番号印字欄（秘匿情報欄）
１５  めくり部
１６  剥離層
１７  台紙（第２の基材）
１８  強粘再剥離粘着剤（再剥離再貼付粘着剤層）
１８Ａ  再剥離再貼付粘着剤（再剥離再貼付粘着剤層）
１８Ｂ  接着剤
１９  厚み調整シート
２０  ＩＣカード学生証（カード）
ｈｃ  ハーフカット
ｍｃ  ミシン目
【図１】
2006218792.tif 000003
【図２】
2006218792.tif 000004
【図３】
2006218792.tif 000005